(57)【要約】【課題】  音楽プレーヤ機能を用いて音楽データの再生を行う際に、音量の手動調整及び自動調整を切り替え可能とすると共に、音量を自動調整して出力する場合には、ユーザが真に希望する音量に自動調整して出力可能とする。【解決手段】  ユーザは、ステレオスピーカ部及びイヤホン装置を介して出力される音声の音量を予めステレオスピーカ音量設定情報及びイヤホン音量設定情報としてメモリに記憶しておく。また、音量の手動調整或いは自動調整のいずれかを指定する手動／自動選択情報をメモリに記憶しておく。制御部は、手動調整が指定されている場合には、音楽データの音量を、ユーザにより手動で指定された音量に調整し、自動調整が指定されている場合には、上記ステレオスピーカ音量設定情報で指定されている音量、或いはイヤホン音量設定情報で指定されている音量に自動調整し、ステレオスピーカ部或いはイヤホン装置に出力する。【選択図】  図３
2006352250.tif 000002
【特許請求の範囲】
【請求項１】
音響出力を得るための出力デバイスと、
少なくとも音響情報の再生を行う音響情報再生手段と、
上記音響出力の音量を手動調整するか、或いは自動調整するかを示す手動／自動選択情報、及び上記出力デバイスを介して得る音響出力の音量設定を示す音量設定情報が記憶された記憶手段と、
上記音響情報再生手段により再生された上記音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段と
を有する音響出力装置。
【請求項２】
請求項１に記載の音響出力装置であって、
上記出力デバイスとして、複数の出力デバイスを有し、
上記記憶手段には、上記各出力デバイス毎にそれぞれ上記音量設定情報が記憶されており、
上記手動／自動切替音量調整手段は、上記記憶手段に記憶されている手動／自動選択情報が、上記音量の自動調整を指定する情報であった場合、上記記憶手段に記憶されている上記各音量設定情報のうち、音響出力を得る出力デバイスに対応する音量設定情報で示される音量に上記音響出力の音量を調整し、上記音響出力を得る出力デバイスに供給すること
を特徴とする音響出力装置。
【請求項３】
請求項１又は請求項２に記載の音響出力装置であって、
上記音量設定情報としてユーザが指定可能な音量の分解能と、上記音響情報再生手段で指定可能な音量の分解能とは異なる分解能となっており、
上記音量設定情報としてユーザにより指定された音量を、上記音響情報再生手段の分解能に対応する音量に変換する音量変換手段を有し、
上記手動／自動切替音量調整手段は、上記音量変換手段で変換された音量に上記音響出力の音量を調整して上記出力デバイスに供給すること
を特徴とする音響出力装置。
【請求項４】
音響出力を得るための出力デバイスと、
少なくとも音響情報の再生を行う音響情報再生手段と、
上記音響出力の音量を手動調整するか、或いは自動調整するかを示す手動／自動選択情報、及び上記出力デバイスを介して得る音響出力の音量設定を示す音量設定情報が記憶された記憶手段と、
上記音響情報再生手段により再生された上記音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段と
を有する携帯電話端末装置。
【請求項５】
請求項４に記載の携帯電話端末装置であって、
上記出力デバイスとして、複数の出力デバイスを有し、
上記記憶手段には、上記各出力デバイス毎にそれぞれ上記音量設定情報が記憶されており、
上記手動／自動切替音量調整手段は、上記記憶手段に記憶されている手動／自動選択情報が、上記音量の自動調整を指定する情報であった場合、上記記憶手段に記憶されている上記各音量設定情報のうち、音響出力を得る出力デバイスに対応する音量設定情報で示される音量に上記音響出力の音量を調整し、上記音響出力を得る出力デバイスに供給すること
を特徴とする携帯電話端末装置。
【請求項６】
請求項４又は請求項５に記載の携帯電話端末装置であって、
上記音量設定情報としてユーザが指定可能な音量の分解能と、上記音響情報再生手段で指定可能な音量の分解能とは異なる分解能となっており、
上記音量設定情報としてユーザにより指定された音量を、上記音響情報再生手段の分解能に対応する音量に変換する音量変換手段を有し、
上記手動／自動切替音量調整手段は、上記音量変換手段で変換された音量に上記音響出力の音量を調整して上記出力デバイスに供給すること
を特徴とする携帯電話端末装置。
【請求項７】
請求項４から請求項６のうち、いずれか一項に記載の携帯電話端末装置であって、
上記出力デバイスは、ハンズフリー通話時に受話音声を出力するスピーカ装置、及び／又は、イヤホン装置を接続可能なイヤホン端子であること
を特徴とする携帯電話端末装置。
【請求項８】
出力デバイスを介して得る音響出力の音量を手動調整するか、或いは自動調整するかを示す手動／自動選択情報、及び上記出力デバイスを介して得る音響出力の音量設定を示す音量設定情報を記憶手段に記憶制御する記憶制御手段としてコンピュータを機能させ、
少なくとも音響情報の再生を行う音響情報再生手段により再生された該音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段としてコンピュータを機能させること
を特徴とする音響出力プログラム。
【発明の詳細な説明】
【技術分野】
【０００１】
本発明は、例えばイヤホン装置用の出力ユニットや放音用のステレオスピーカ装置等の複数の音響出力用の出力デバイスを備えた携帯電話機，ＰＨＳ電話機（PHS：Personal Handyphone System）、ＰＤＡ装置（PDA：Personal Digital Assistant），ノート型のパーソナルコンピュータ装置、据え置き型のパーソナルコンピュータ装置等に設けて好適な音響出力装置、携帯端末装置、及び音響出力プログラムに関し、特に各出力デバイスから出力される音声の音量を、各ユーザの好みの音量に自動的に調整して出力可能とすると共に、この各出力デバイスから出力される音声の音量を、各ユーザの好みの音量に自動的に調整して出力するモードと、ユーザが各出力デバイスから出力される音声の音量を手動で調整するモードとを、ユーザが好みで選択可能とした音響出力装置、携帯電話端末装置、及び音響出力プログラムに関する。
【背景技術】
【０００２】
今日において、音楽データの再生機能（音楽再生機能）を有する携帯電話機が知られている。この携帯電話機は、音楽再生機能で再生された音声を、イヤホン端子に接続されたイヤホン装置、或いは当該携帯電話機に通話音声出力用のスピーカ装置とは別に設けられたステレオスピーカ装置を介して出力可能となっている。
【０００３】
このイヤホン装置、或いはステレオスピーカ装置を介して出力される音声の音量は、音量設定用のユーザインターフェイスを介してユーザが手動で所望の音量を設定するようになっている。これにより、再生された音楽データが、ユーザにより手動で設定された音量で、イヤホン装置、或いはステレオスピーカ装置を介して出力制御される。
【０００４】
ここで、音量の自動調整を行う携帯電話装置として、特開平１０−３０４０３０号の公開特許公報（特許文献１）に、呼出音量、受話音量及び送話音量を周囲雑音レベルに対応して自動調整する携帯電話装置が開示されている。
【０００５】
この携帯電話装置は、雑音センサで検出された周囲雑音レベルに対応して、受話音量設定部が受話音量設定値を受話音量制御部に設定し、送話音量設定部が送話音量設定値を送話音量制御部に設定し、呼出音量設定部が呼出音設定値を呼出音量制御部に設定する。
【０００６】
受話音量制御部は、この設定された受話音量設定値に対応する受話音量で、受話音声を通話用スピーカを介して出力制御する。また、送話音量制御部は、この設定された送話音量設定値に対応する送話音量となるように、当該携帯電話装置のユーザの音声を増幅制御する。また、呼出音量制御部は、この設定された呼出音設定値に対応する呼出音量で、スピーカを介して呼出音を出力制御する。これにより、自動的に周囲雑音レベルに対応する音量で送話及び受話を行うことができると共に、自動的に周囲雑音レベルに対応する音量の呼出音を得ることができる。
【０００７】
【特許文献１】特開平１０−３０４０３０号公報（第４頁〜第５頁：図１）
【発明の開示】
【発明が解決しようとする課題】
【０００８】
しかし、音楽再生機能を有する従来の携帯電話機の場合、音量設定用のユーザインターフェイスを介して設定された一つの音量設定情報で（＝同じ音量設定情報で）、イヤホン装置から出力する音声の音量、及びステレオスピーカ装置から出力する音声の音量を制御するようになっている。イヤホン装置はユーザの耳に装着されて使用されるものであり、ステレオスピーカ装置は、ユーザの体から、ある程度距離を置かれて使用されるものである。このため、同じ音量設定情報で音声を出力制御した場合でも、イヤホン装置とステレオスピーカ装置とでは、それぞれユーザが体感する音量が異なったものとなる。
【０００９】
従って、音楽再生機能を有する従来の携帯電話機では、音声の聴取に使用する出力デバイスをイヤホン装置からステレオスピーカ装置に切り替える場合には、このステレオスピーカ装置の使用時に手動で音量の再設定を行い、同様に音声の聴取に使用する出力デバイスをステレオスピーカ装置からイヤホン装置に切り替える場合には、このイヤホン装置の使用時に手動で音量の再設定を行うという、面倒な設定操作を必要とする問題があった。
【００１０】
一方、特許文献１の携帯電話装置において、例えば周囲雑音レベルに対応してレベル５の音量で呼出音が出力制御された場合、一方のユーザはこの音量では小さいと感じ、他方のユーザはこの音量では大きいと感じる等のように、音量の感じ方や好みの音量は各ユーザ毎に異なるものである。
【００１１】
しかし、特許文献１の携帯電話装置の場合、周囲雑音レベルに対応して出力される音声の音量は、メーカ側で設定された音量となる。このため、各ユーザの好みにそれぞれ対応した音量の音声出力を得ることは困難となる問題がある。
【００１２】
ここで、イヤホン装置やステレオスピーカ装置等の出力デバイス毎に、ユーザが希望する音量の音響出力が自動的に得られることは好ましいことではあるが、ユーザが自分で所望の音量を手動で調整したいという希望もある。このため、自動的にユーザが希望する音量の音響出力が得られると共に、ユーザが希望する場合には、該ユーザが手動で音量の調整を行えるようにしておくことが好ましい。
【００１３】
本発明は、上述の課題に鑑みてなされたものであり、各出力デバイスから出力される音声の音量を、各ユーザの好みの音量に自動的に調整して出力可能とすると共に、この各出力デバイスから出力される音声の音量を、各ユーザの好みの音量に自動的に調整して出力するモードと、ユーザが各出力デバイスから出力される音声の音量を手動で調整するモードとを、ユーザが好みで選択可能とした音響出力装置、携帯電話端末装置及び音響出力プログラムの提供を目的とする。
【課題を解決するための手段】
【００１４】
本発明に係る音響出力装置は、上述の課題を解決するための手段として、
音響出力を得るための出力デバイスと、
少なくとも音響情報の再生を行う音響情報再生手段と、
上記音響出力の音量を手動調整するか、或いは自動調整するかを示す手動／自動選択情報、及び上記出力デバイスを介して得る音響出力の音量設定を示す音量設定情報が記憶された記憶手段と、
上記音響情報再生手段により再生された上記音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段と
を有する。
【００１５】
また、本発明に係る携帯電話端末装置は、上述の課題を解決するための手段として、
音響出力を得るための出力デバイスと、
少なくとも音響情報の再生を行う音響情報再生手段と、
上記音響出力の音量を手動調整するか、或いは自動調整するかを示す手動／自動選択情報、及び上記出力デバイスを介して得る音響出力の音量設定を示す音量設定情報が記憶された記憶手段と、
上記音響情報再生手段により再生された上記音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段と
を有する。
【００１６】
また、本発明に係る音響出力プログラムは、上述の課題を解決するために、
出力デバイスを介して得る音響出力の音量を手動調整するか、或いは自動調整するかを示す手動／自動選択情報、及び上記出力デバイスを介して得る音響出力の音量設定を示す音量設定情報を記憶手段に記憶制御する記憶制御手段としてコンピュータを機能させ、
少なくとも音響情報の再生を行う音響情報再生手段により再生された該音響情報の音響出力を上記出力デバイスを介して得る際に、上記記憶手段に記憶されている手動／自動選択情報が、上記音量の手動調整を指定する情報であった場合、ユーザにより操作手段を介して指定される音量に上記音響出力の音量を調整して上記出力デバイスに供給し、上記記憶手段に記憶されている手動／自動選択情報が、上記音量の自動調整を指定する情報であった場合、上記記憶手段に記憶されている上記音量設定情報で示される音量に上記音響出力の音量を調整して上記出力デバイスに供給する手動／自動切替音量調整手段としてコンピュータを機能させる。
【００１７】
このような本発明は、記憶制御手段に、出力デバイスを介して得る音響出力の音量を手動調整するか、或いは自動調整するかを示す手動／自動選択情報、及び上記出力デバイスを介して得る音響出力の音量設定を示す音量設定情報を予め記憶しておく。
【００１８】
そして、音響情報再生手段により再生された音響情報の音響出力を出力デバイスを介して得る際に、上記記憶手段に記憶されている手動／自動選択情報が、上記音量の手動調整を指定する情報であった場合、手動／自動切替音量調整手段が、ユーザにより操作手段を介して指定される音量に上記音響出力の音量を調整して上記出力デバイスに供給する。また、上記記憶手段に記憶されている手動／自動選択情報が、上記音量の自動調整を指定する情報であった場合、手動／自動切替音量調整手段が、上記記憶手段に記憶されている上記音量設定情報で示される音量に上記音響出力の音量を調整して上記出力デバイスに供給する。
【発明の効果】
【００１９】
本発明は、出力デバイスから出力される音声の音量を、各ユーザの好みの音量に自動的に調整して出力するモードと、ユーザが出力デバイスから出力される音声の音量を手動で調整するモードとを、ユーザが好みで選択可能とすることができる。
【００２０】
また、ユーザにより、音量の自動調整が指定されている場合には、予め設定されている音量設定情報に対応する音量に、音響出力の音量を調整して出力することで、該音響出力の音量を、各ユーザの好みの音量に自動的に調整して出力することができる。
【発明を実施するための最良の形態】
【００２１】
本発明は、携帯電話機に適用することができる。
【００２２】
［携帯電話機の構成］
図１に、本発明を適用した実施の形態となる携帯電話機のブロック図を示す。この図１に示すように、当該実施の形態の携帯電話機は、携帯事業者のコミュニケーションネットワークに接続された基地局との間でデータの送受信を行うアンテナ１及び通信回路２と、受話音声を得るための通話用スピーカ部３と、ハンズフリー通話における受話音声や、着信音，動画ファイルの音声，音楽データの音声等を得るための放音用のステレオスピーカ部４と、イヤホン装置が装着されるイヤホン端子５とを有している。
【００２３】
すなわち、この携帯電話機の場合、音声出力用の出力デバイス（出力系）として、通話用スピーカ部３、ステレオスピーカ部４、及びイヤホン端子５（この場合、当該イヤホン端子５に接続されるイヤホン装置を含めて出力デバイスと言っている。）の計３つの出力デバイス有している。
【００２４】
また、この携帯電話機は、当該携帯電話機のユーザの送話音声等を集音するマイクロホン部６と、発着信電話番号、送信元，送信先となるユーザの名前、電話や携帯メールの発着信履歴、電話帳，アドレス帳、スケジュール帳、送受信した携帯メールの文章等を表示するための表示部７と、数字入力や文字入力等の入力操作の他、上記各出力デバイスからそれぞれ出力される音声の音量の設定操作、及び該各出力デバイスから出力される音声の音量を手動で設定するか、或いは自動で設定するかを選択設定操作するための操作部８とを有している。
【００２５】
また、この携帯電話機は、電話着信や携帯メールの着信等を光でユーザに知らせるための発光部９（ＬＥＤ：Light Emitting Diode）と、所望の被写体の静止画像及び動画像を撮像するためのカメラ部１０と、電話着信や携帯メールの着信等を当該携帯電話機の筐体を振動させることでユーザに知らせるためのバイブレーションユニット１１とを有している。
【００２６】
また、この携帯電話機は、大量の音楽データ等が記憶可能な大容量の外部メモリ１３が接続される外部メモリインターフェイス１２（外部メモリＩＦ）と、各種データやプログラムが記憶されたメモリ１４と、このメモリ１４に記憶されているオペレーションプログラムや各アプリケーションプログラム等に基づいて、当該携帯電話機の動作を制御する制御部１５とを有している。
【００２７】
メモリ１４には、オペレーションプログラム、上記基地局との間で無線通信を行うための通信処理プログラム（コミュニケーションプログラム）、カメラ機能を実現するカメラアプリケーションプログラム、及び音楽データを再生するための音楽プレーヤアプリケーションプログラムが記憶されている。
【００２８】
また、メモリ１４には、電話帳及びスケジュール帳のデータ、上記音楽プレーヤアプリケーションプログラムで再生される音楽データ、携帯メールの文書データ、上記カメラ部１０で撮像された静止画像／動画像の各データの他、前述の３つの出力デバイスに対してそれぞれ設定された音量を示す通話用スピーカ音量設定情報、ステレオスピーカ音量設定情報、イヤホン音量設定情報が記憶されている。
【００２９】
また、この携帯電話機の場合、ステレオスピーカ部４、或いはイヤホン端子５を介してイヤホン装置から着信音や音楽データの音声を得る際に、その音量を手動で調整するか、或いは自動で調整するかを、ユーザが予め選択設定するようになっており、メモリ１４には、この選択設定情報（手動／自動選択情報）が記憶されている。
【００３０】
また、以下に詳細に説明するが、当該携帯電話機は、音楽プレーヤアプリケーションプログラムに基づいて再生する音楽データの音量が、ユーザにより予め設定されたステレオスピーカ部４の音量、及びイヤホン装置の音量となるように自動的に調整するようになっている。
【００３１】
ただ、当該携帯電話機の場合、ユーザが予め設定するステレオスピーカ部４の音量、及びイヤホン装置の音量は、例えば５段階の音量の中から所望の音量を選択し、音楽プレーヤアプリケーションプログラムにおいては、３０段階の音量の中から所望の音量を選択するようになっている。すなわち、それぞれ選択可能な音量の分解能が異なるものとなっている。
【００３２】
このため、メモリ１４には、ユーザが予め設定するステレオスピーカ部４の音量、及びイヤホン装置の音量を、音楽プレーヤアプリケーションプログラム用の音量に変換するための音量変換テーブルが記憶されている。制御部１５は、音楽プレーヤアプリケーションプログラムに基づいて再生する音楽データの音量を自動調整する際に、この音量変換テーブルに基づいて、ユーザが予め設定するステレオスピーカ部４の音量、及びイヤホン装置の音量を、音楽プレーヤアプリケーションプログラム用の音量に変換して用いるようになっている。
【００３３】
［各出力デバイスに対する音量の設定］
まず、この実施の形態の携帯電話機の場合、上記各出力デバイスから出力される音声の音量をユーザが予め選択設定しておく。
【００３４】
具体的には、当該携帯電話機の場合、音量設定メニューとして、「通話用スピーカ部３の音量設定メニュー」、「ステレオスピーカ部４の音量設定メニュー」、「イヤホン装置の音量設定メニュー」等を有している。
【００３５】
「通話用スピーカ部３の音量設定メニュー」は、通話時に通話用スピーカ部３から出力される通話音声の音量を設定するためのメニューであり、ユーザは、操作部８を操作することで、例えば５段階に等分割された音量の中から、例えば音量３，音量４等のように所望の音量を選択操作する。制御部１５は、この選択操作がなされると、ユーザにより選択された音量を示す「通話用スピーカ音量設定情報」をメモリ１４に記憶制御する。
【００３６】
同様に、「ステレオスピーカ部４の音量設定メニュー」は、当該携帯電話機をハンズフリー通話を行った際にステレオスピーカ部４から出力される受話音声の音量、及び着信時にステレオスピーカ部４から出力される着信音声の音量等を設定するためのメニューであり（＝ステレオスピーカ部４から出力される音声の音量を設定するためのメニューであり）、ユーザは、操作部８を操作することで、例えば５段階に等分割された音量の中から、例えば音量４，音量５等のように所望の音量を選択操作する。制御部１５は、この選択操作がなされると、ユーザにより選択された音量を示す「ステレオスピーカ音量設定情報」をメモリ１４に記憶制御する。
【００３７】
同様に、「イヤホン装置の音量設定メニュー」は、イヤホン端子５に接続されたイヤホン装置から出力される、ハンズフリー通話時の受話音声の音量や、着信時にイヤホン装置から出力される着信音声の音量等を設定するためのメニューであり（＝イヤホン装置から出力される音声の音量を設定するためのメニューであり）、ユーザは、操作部８を操作することで、例えば５段階に等分割された音量の中から、例えば音量２，音量３等のように所望の音量を選択操作する。制御部１５は、この選択操作がなされると、ユーザにより選択された音量を示す「イヤホン音量設定情報」をメモリ１４に記憶制御する。
【００３８】
［音量の手動調整／自動調整の選択設定］
次に、ユーザは、音楽プレーヤアプリケーションプログラムで音楽データの再生を行う際に、ステレオスピーカ部４或いはイヤホン装置から出力される音声の音量を、手動で調整するか、或いは自動で調整するかを、予め選択設定しておく。
【００３９】
具体的には、当該携帯電話機の場合、設定メニューの中に、この手動調整及び自動調整の選択設定メニューが設けられており、ユーザは、この選択設定メニューで、上記手動調整或いは自動調整を選択設定する。制御部１５は、この選択により設定された手動或いは自動の調整方法を示す手動／自動選択情報をメモリ１４に記憶制御する。
【００４０】
［音量の手動／自動の切替動作、及び音量制御動作］
この実施の形態の携帯電話機においては、音楽プレーヤアプリケーションプログラムで音楽データの再生を行う際に、制御部１５が、このメモリ１４に記憶されている手動／自動選択情報に基づいて、該音楽データの音量を「手動」及び「自動」で切り替えるようになっている。
【００４１】
また、手動／自動選択情報により、音量の自動調整が指定されている場合には、音楽プレーヤアプリケーションプログラムで音楽データの再生を行う際に、制御部１５が、上記「ステレオスピーカ音量設定情報」或いは上記「イヤホン音量設定情報」を援用して、自動的に調整した音量で、再生した音楽データをステレオスピーカ部４或いはイヤホン装置を介して出力するようになっている。
【００４２】
このような音量の手動／自動の切替動作の流れ、及び音量制御動作の流れを図２のフローチャートに示す。また、図３に、音楽プレーヤアプリケーションプログラムに基づいて動作する際の、制御部１５の機能ブロック図を示す。
【００４３】
まず、ユーザは、音楽データの再生を行う場合、操作部８を操作して実行メニューの中から音楽プレーヤの実行を指定すると共に、所望の音楽データの再生を指定する。制御部１５は、ユーザにより、音楽プレーヤの実行が指定されると、メモリ１４に記憶されている音楽プレーヤアプリケーションプログラムに基づいて、図２のフローチャートをスタートさせ、ステップＳ１から処理を開始する。なお、この音楽プレーヤアプリケーションプログラムには、音響出力プログラムも含まれている。
【００４４】
ステップＳ１では、制御部１５が、メモリ１４に記憶されている手動／自動選択情報に基づいて、これから再生する音楽データの音量調整は、「手動」に設定されているか、或いは「自動」に設定されているかを判別する。このステップＳ１において、音量調整が「手動」に設定されているものと判別した場合、制御部１５は処理をステップＳ９に進め、音量調整が「自動」に設定されているものと判別した場合、制御部１５は処理をステップＳ２に進める。
【００４５】
〔手動音量調整動作〕
音量調整が「手動」に設定されているものと判別することで処理をステップＳ９に進めると、このステップＳ９において制御部１５は、ユーザが操作部８を操作することで指定した音量を示す手動音量設定情報を取り込み、この手動音量設定情報に基づいて音楽データを増幅する。
【００４６】
すなわち、図３の機能ブロック図を用いてハードウェア的に説明すると、音楽データは、デコーダ２１でデコード処理され、ＤＡコンバータ２２でアナログ化され、ボリュームコントローラ２３で所定の増幅処理が施されるようになっている。
【００４７】
この実施の形態の携帯電話機は、ユーザにより音量の自動調整が指定されている場合には、ステレオスピーカ部４或いはイヤホン端子５に接続されるイヤホンに対して、ユーザにより予め設定されている音量を示す「ステレオスピーカ音量設定情報」或いは「イヤホン音量設定情報」を援用して該音量の自動調整を行い、ユーザにより音量の手動調整が指定されている場合には、ユーザが操作部８を操作して音量を指定することで形成される「手動音量設定情報」を用いて該音量の調整を行うようになっている。
【００４８】
音量の自動調整を行うための「ステレオスピーカ音量設定情報」或いは「イヤホン音量設定情報」と、音量の手動調整を行うための「手動音量設定情報」とは、第２のマルチプレクサ２６で切り替えられてボリュームコントローラ２３に供給されるようになっている。この場合、制御部１５は、第２のマルチプレクサ２６に対して、「手動音量設定情報」を選択する手動／自動切替制御信号を供給する。これにより、ユーザが操作部８を介して指定した音量を示す「手動音量設定情報」が、第２のマルチプレクサ２６により選択されてボリュームコントローラ２３に供給される。
【００４９】
次に、制御部１５は、ステップＳ１０において、イヤホン端子５の電圧レベルや、ポーリングによる接続の有無の検出により、イヤホン端子５にイヤホン装置が接続されているか否かを判別する。そして、イヤホン端子５にイヤホン装置が接続されているものと判別した場合には、処理をステップＳ１１に進め、イヤホン端子５にイヤホン装置が接続されていないものと判別した場合には、処理をステップＳ１３に進める。
【００５０】
ここで、再度、ハードウェア的に説明すると、図３に示すようにボリュームコントローラ２３からの音楽データは、出力経路切替スイッチ２４により切り替えられてステレオスピーカ部４或いはイヤホン装置に供給されるようになっている。
【００５１】
制御部１５は、上記ステップＳ１０において、イヤホン端子５にイヤホン装置が接続されているものと判別すると、ステップＳ１１において、出力経路切替スイッチ２４に対してイヤホン装置の経路を選択する出力経路切替制御信号を供給する。これにより、ボリュームコントローラ２３からの音楽データがイヤホン装置に供給される経路が確立されることとなる。
【００５２】
これに対して、制御部１５は、上記ステップＳ１０において、イヤホン端子５にイヤホン装置が接続されていないものと判別すると、ステップＳ１３において、出力経路切替スイッチ２４に対してステレオスピーカ部４の経路を選択する出力経路切替制御信号を供給する。これにより、ボリュームコントローラ２３からの音楽データがステレオスピーカ部４に供給される経路が確立されることとなる。
【００５３】
次に制御部１５は、ボリュームコントローラ２３により、第２のマルチプレクサ２６から供給される「手動音量設定情報」に対応する利得で、ＤＡコンバータ２２からの音楽データを増幅することで、ユーザにより指定された音量の音楽データを形成して出力する。
【００５４】
これにより、ユーザにより手動で設定された音量とされた音楽データが、出力経路切替スイッチ２４、プリアンプ２７を介してステレオスピーカ部４に供給され、或いは出力経路切替スイッチ２４、プリアンプ２８及びイヤホン端子５を介してイヤホン装置に供給される。そして、ユーザが手動設定した音楽データの音量が、ステレオスピーカ部４或いはイヤホン装置を介して得られることとなる。
【００５５】
〔自動音量調整動作〕
一方、上記ステップＳ１において、音量調整が「自動」に設定されているものと判別した場合、制御部１５は処理をステップＳ２に進め、第１のマルチプレクサ２５で選択された「自動音量設定情報（＝ステレオスピーカ音量設定情報或いはイヤホン音量設定情報）を選択する手動／自動切替制御信号を供給する。これにより、第１のマルチプレクサ２５で選択された「ステレオスピーカ音量設定情報」或いは「イヤホン音量設定情報」が、第２のマルチプレクサ２６を介してボリュームコントローラ２３に供給される経路が確立されることとなる。
【００５６】
次に、制御部１５は、ステップＳ３において、イヤホン端子５にイヤホン装置が接続されているか否かを判別する。そして、イヤホン端子５にイヤホン装置が接続されているものと判別した場合には、処理をステップＳ４に進め、イヤホン端子５にイヤホン装置が接続されていないものと判別した場合には、処理をステップＳ７に進める。
【００５７】
次に、上記ステップＳ３において、イヤホン端子５にイヤホン装置が接続されているものと判別すると、制御部１５は、ステップＳ４において、第１のマルチプレクサ２５及び出力経路切替スイッチ２４に対してイヤホン装置の経路を選択する出力経路切替制御信号を供給する。これにより、ボリュームコントローラ２３からの音楽データがイヤホン装置に供給される経路が確立されることとなる。
【００５８】
また、第１のマルチプレクサ２５は、このイヤホン装置への経路を確立する出力経路切替制御信号が供給されると、メモリ１４から読み出される「イヤホン音量設定情報」を選択し、これを第１のマルチプレクサ２６に供給する経路を確立する。
【００５９】
次に、制御部１５は、ステップＳ５において、メモリ１４に記憶されているイヤホン音量設定情報を読み出し、これを第１のマルチプレクサ２５に供給する。イヤホン端子５にイヤホン装置が接続されているものと判別された場合、第１及び第２のマルチプレクサ２５，２６は、この「イヤホン音量設定情報」を選択するようになっている。このため、この場合、メモリ１４から読み出された「イヤホン音量設定情報」は、第１及び第２のマルチプレクサ２５，２６を介してボリュームコントローラ２３に供給されることとなる。
【００６０】
これに対して、上記ステップＳ３において、イヤホン端子５にイヤホン装置が接続されていないものと判別すると、制御部１５は、ステップＳ７において、第１のマルチプレクサ２５及び出力経路切替スイッチ２４に対してステレオスピーカ部４の経路を選択する出力経路切替制御信号を供給する。これにより、ボリュームコントローラ２３からの音楽データがステレオスピーカ部４に供給される経路が確立されることとなる。
【００６１】
また、第１のマルチプレクサ２５は、このステレオスピーカ部４への経路を確立する出力経路切替制御信号が供給されると、メモリ１４から読み出される「ステレオスピーカ音量設定情報」を選択し、これを第１のマルチプレクサ２６に供給する経路を確立する。
【００６２】
次に、制御部１５は、ステップＳ８において、メモリ１４に記憶されているステレオスピーカ音量設定情報を読み出し、これを第１のマルチプレクサ２５に供給する。イヤホン端子５にイヤホン装置が接続されていないものと判別された場合、第１及び第２のマルチプレクサ２５，２６は、この「ステレオスピーカ音量設定情報」を選択するようになっている。このため、この場合、メモリ１４から読み出された「ステレオスピーカ音量設定情報」は、第１及び第２のマルチプレクサ２５，２６を介してボリュームコントローラ２３に供給されることとなる。
【００６３】
次に、制御部１５は、ステップＳ６において、第２のマルチプレクサ２６から供給される「イヤホン音量設定情報」或いは「ステレオスピーカ音量設定情報」に対応する利得で、ＤＡコンバータ２２からの音楽データを増幅することで、ユーザにより予めステレオスピーカ部４或いはイヤホン装置に対して設定されている音量の音楽データを形成して出力する。
【００６４】
これにより、ユーザにより予めステレオスピーカ部４或いはイヤホン装置に対して設定された音量とされた音楽データが、出力経路切替スイッチ２４、プリアンプ２７を介してステレオスピーカ部４に供給され、或いは出力経路切替スイッチ２４、プリアンプ２８及びイヤホン端子５を介してイヤホン装置に供給されて発音される。従って、ユーザにより予めステレオスピーカ部４或いはイヤホン装置に対して設定された音量となるように自動的に音量調整された音楽データが、ステレオスピーカ部４或いはイヤホン装置を介して得られることとなる。
【００６５】
［音量変換テーブル］
ここで、ユーザにより予め設定されているステレオスピーカ音量及びイヤホン音量は、それぞれ無音量から最大音量までの間がｎ等分されており、音量０〜音量ｎの間で所望の音量を選択するようになっている。これに対して、音楽プレーヤアプリケーションプログラムにおいては、無音量から最大音量までの間がｍ等分されており、音量０〜音量ｍの間で、所望のステレオスピーカ音量、或いはイヤホン音量を選択するようになっている。
【００６６】
このため、制御部１５は、ステレオスピーカ音量設定情報、及びイヤホン音量設定情報に基づいてメモリ１４に記憶されている音量変換テーブルを参照することで、ユーザにより設定されたステレオスピーカ音量及びイヤホン音量を、音楽プレーヤアプリケーションプログラム用の音量に変換するようになっている。
【００６７】
すなわち、例えば予め選択可能なステレオスピーカ音量及びイヤホン音量は、５等分（上記ｎ＝５）された音量の中から所望の音量が選択可能であり、音楽プレーヤアプリケーションプログラムにおいては、３０等分（上記ｍ＝３０）された音量の中から所望の音量が選択可能であった場合、上記５等分された音量の中からユーザにより選択された音量を「ｘ」、このユーザにより選択された音量に対応する音楽プレーヤアプリケーションプログラムにおける音量を「Ｙ」とすると、
Ｙ＝ｘ×（ｍ／ｎ）
の演算式を用いることで、ユーザにより予め選択されたステレオスピーカ音量及びイヤホン音量を、音楽プレーヤアプリケーションプログラム用の音量に変換することが可能となる。
【００６８】
制御部１５に、メモリ１４に記憶されているステレオスピーカ音量設定情報、及びイヤホン音量設定情報に基づいて、この演算式の演算を実行させ、ユーザにより予め選択されたステレオスピーカ音量及びイヤホン音量を、音楽プレーヤアプリケーションプログラム用の音量に変換してもよいが、この携帯電話機の場合、ユーザにより予め選択されるステレオスピーカ用及びイヤホン用の各音量と、この各音量にそれぞれ対応する音楽プレーヤアプリケーションプログラム用の各音量とが関連付けされて記憶された音量変換テーブルがメモリ１４に記憶されている。
【００６９】
このため、制御部１５は、ステレオスピーカ音量設定情報、或いはイヤホン音量設定情報をメモリ１４から読み出すと、上記ステップＳ６において、このステレオスピーカ音量設定情報、或いはイヤホン音量設定情報に基づいて音量変換テーブルを参照し、ユーザにより予め設定されたステレオスピーカ音量設定情報、或いはイヤホン音量設定情報に対応する音楽プレーヤアプリケーションプログラム用の音量を検出する。
【００７０】
具体的には、予め選択可能なステレオスピーカ音量及びイヤホン音量を上記５等分された音量の中から選択し、音楽プレーヤアプリケーションプログラムにおいては、３０等分された音量の中から所望の音量を選択するようになっている場合、音楽プレーヤアプリケーションプログラムは６倍の分解能を有しているため、ユーザにより予め選択された上記各音量を６倍した音量が音楽プレーヤアプリケーションプログラムにおける音量に相当することとなる（ｍ／ｎ＝３０／５＝６）。
【００７１】
音量変換テーブルには、「上記５等分された音量の中からユーザにより選択された音量→音楽プレーヤアプリケーションプログラムにおける音量」が、
「音量０→音量０」、
「音量１→音量６」、
「音量２→音量１２」、
「音量３→音量１８」、
「音量４→音量２４」、
「音量５→音量３０」、
等のようにテーブル化されて記憶されている。
【００７２】
このため、ユーザにより予め選択されたステレオスピーカ音量或いはイヤホン音量が例えば「音量３」であった場合、制御部１５は、この音量変換テーブルを参照することで、「音量１８」の音楽プレーヤアプリケーションプログラムにおける音量を得る。同様に、ユーザにより予め選択されたステレオスピーカ音量或いはイヤホン音量が例えば「音量５」であった場合、制御部１５は、この音量変換テーブルを参照することで、「音量３０」の音楽プレーヤアプリケーションプログラムにおける音量を得る。
【００７３】
このように音量変換テーブルを用いることにより、ユーザが予め設定可能なデバイス音量の分解能と、音楽プレーヤアプリケーションプログラムの音量の分解能との間に差があった場合でも、この分解能の差を是正して、ユーザにより予め選択されたステレオスピーカ音量或いはイヤホン音量を、音楽プレーヤアプリケーションプログラムに対応する音量に変換することができる。このため、ユーザにより予め選択されたステレオスピーカ音量或いはイヤホン音量を、音楽プレーヤで再生される音楽データの音量の自動調整に用いた場合でも、予めユーザにより指定されている音量に、より近い音量で音楽データの再生を行うことができる。
【００７４】
［実施の形態の効果］
以上の説明から明らかなように、当該実施の形態の携帯電話機は、ステレオスピーカ部４を介して着信音やハンズフリー通話時の受話音声等を得る場合の音量をステレオスピーカ音量設定情報としてメモリ１４に記憶すると共に、イヤホン端子５に接続されたイヤホン装置を介して着信音やハンズフリー通話時の受話音声等を得る場合の音量をイヤホン音量設定情報としてメモリ１４に記憶しておく。
【００７５】
また、音楽プレーヤアプリケーションプログラムで音楽データの再生を行う場合に、その音量の調整を手動で行うか、或いは自動で行うかを示す手動／自動選択情報をメモリ１４に記憶しておく。そして、この手動／自動選択情報に基づいて、再生する音楽データの手動音量調整／自動音量調整を切替制御する。
【００７６】
具体的には、手動音量調整が指定されている場合には、音楽データの音量を、ユーザにより操作部８を介して指定された音量に調整し、ステレオスピーカ部４或いはイヤホン装置に出力する。
【００７７】
これに対して、自動音量調整が指定されている場合には、音楽データの音量を、メモリ１４に記憶されているステレオスピーカ音量設定情報で指定されている音量、或いはイヤホン音量設定情報で指定されている音量に自動調整し、ステレオスピーカ部４或いはイヤホン装置に出力する。
【００７８】
当該実施の形態の携帯電話機は、このように音量の手動調整及び自動調整を切り替え可能となっているため、ユーザが好みで音量の調整方法を選択可能とすることができ、よりユーザライクな商品を提供可能とすることができる。
【００７９】
また、音量の自動調整が指定されている場合には、再生する音楽データの音量を、ユーザにより予め指定されているステレオスピーカ音量或いはイヤホン音量に自動的に調整して出力することができる。このため、ユーザが真に希望する音量で音楽データの再生を行うことができる。
【００８０】
また、ユーザが予め設定可能なデバイス音量の分解能と、音楽プレーヤアプリケーションプログラムの音量の分解能との間に差がある場合には、音量変換テーブルにより、ユーザにより予め選択されたステレオスピーカ音量或いはイヤホン音量を、音楽プレーヤアプリケーションプログラムに対応する音量に変換して用いるようになっている。このため、上記両者の分解能の差を是正することができ、該両者の分解能に差があった場合でも、予めユーザにより指定されている音量に、より近い音量で音楽データの再生を行うことができる。
【００８１】
［変形例］
上述の実施の形態の説明では、本発明を携帯電話機に適用することとしたが、本発明は、例えばイヤホン装置用の出力ユニットや放音用のステレオスピーカ装置等の複数の音響出力用の出力デバイスを備えていれば、この携帯電話機以外に、ＰＨＳ電話機（PHS：Personal Handyphone System）、ＰＤＡ装置（PDA：Personal Digital Assistant），ノート型のパーソナルコンピュータ装置、据え置き型のパーソナルコンピュータ装置等の他の端末装置に適用してもよい。この場合でも、上述と同様の効果を得ることができる。
【００８２】
また、音楽プレーヤアプリケーションプログラムで音楽データの再生を行う際に本発明を適用することとしたが、本発明は、この他、テレビジョンユニットやラジオユニットで受信した放送音声の音量の手動／自動切り替え及び自動音量調整に適用し、また、ネットワークを介してダウンロード等した動画像データの音声の音量や、カメラ部１０で撮像した動画像データの音声の音量の手動／自動切り替え及び自動音量調整に適用することで、上述と同様の効果を得ることができる。
【００８３】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００８４】
【図１】本発明を適用した実施の形態の携帯電話機のブロック図である。
【図２】実施の形態の携帯電話機の音量の手動調整／自動調整の切り替え動作、及び自動音量調整動作を説明するためのフローチャートである。
【図３】実施の形態の携帯電話機で音量の手動調整／自動調整及び自動音量調整を行う場合における制御部の機能ブロック図である。
【符号の説明】
【００８５】
１  アンテナ、２  通信回路、３  通話用スピーカ部、４  ステレオスピーカ部、５  イヤホン端子、６  マイクロホン部、７  表示部、８  操作部、９  発光部（ＬＥＤ）、１０  カメラ部、１１  バイブレーションユニット、１２  外部メモリインターフェイス（外部メモリＩＦ）、１３  外部メモリ、１４  メモリ、１５  制御部、２１  デコーダ、２２  ＤＡコンバータ、２３  ボリュームコントローラ、２４  出力経路切替スイッチ、２５  第１のマルチプレクサ、２６  第２のマルチプレクサ、２７  プリアンプ、２８  プリアンプ、３０  音量変換テーブル
【図１】
2006352250.tif 000003
【図２】
2006352250.tif 000004
【図３】
2006352250.tif 000005